(57)【要約】【課題】宛名面画像の内容に宛名情報として未記入の情報が存在していることに気付かないままその宛名面画像が印刷媒体に印刷されてしまうのを抑止する【解決手段】宛名面画像の作成対象の宛名情報を少なくとも１つ取得し、その取得した宛名情報に、宛名情報として認識不可能な情報である認識不可情報があるか否かを判断する。また、取得した宛名情報に従って、その宛名情報を示す宛名面画像を作成し、各宛名面画像のプレビュー画像６１をプレビュー画面６０に表示させる。上記判断において認識不可情報があると判断された宛名情報があった場合は、プレビュー画像６１を表示させた以後、不備通知画面８５を表示させる。【選択図】図７
2015228088.tif 000002
【特許請求の範囲】
【請求項１】
表示部と、
制御部と、
を備えた情報処理装置において、前記制御部が実行可能な宛名面作成プログラムであって、
前記制御部に、
宛名情報を少なくとも１つ取得する宛名取得処理と、
前記宛名取得処理により取得された前記宛名情報に、宛名情報として認識不可能な情報である認識不可情報があるか否かを判断する判断処理と、
前記宛名取得処理により取得された前記宛名情報に従って、その宛名情報を示す画像であって特定の印刷対象の宛名面に印刷する宛名面画像を生成する画像生成処理と、
前記画像生成処理により生成された前記宛名面画像に従って、その宛名面画像を前記宛名面に印刷させる際の印刷結果のプレビュー画像を生成するプレビュー生成処理と、
前記プレビュー生成処理により生成された前記プレビュー画像を前記表示部に表示させる第１のプレビュー表示処理と、
前記判断処理により前記認識不可情報があると判断された場合、前記第１のプレビュー表示処理による前記プレビュー画像の表示後に、前記認識不可情報のある前記宛名情報があることを示す情報を前記表示部に表示させる表示制御処理と、
を実行させるための宛名面作成プログラム。
【請求項２】
請求項１に記載の宛名面作成プログラムであって、
前記第１のプレビュー表示処理による前記プレビュー画像の表示後、特定の処理移行指示を受け付ける移行指示受付処理、
を有し、
前記表示制御処理は、前記移行指示受付処理により前記処理移行指示が受け付けられた後に実行される
ことを特徴とする宛名面作成プログラム。
【請求項３】
請求項２に記載の宛名面作成プログラムであって、
前記移行指示受付処理により前記処理移行指示が受け付けられた場合に実行される処理であって、前記宛名面への前記宛名面画像の印刷を実行させるための特定の印刷制御処理、
を有し、
前記表示制御処理は、前記印刷制御処理により前記印刷が実行される前に実行される
ことを特徴とする宛名面作成プログラム。
【請求項４】
請求項１〜請求項３の何れか１項に記載の宛名面作成プログラムであって、
前記第１のプレビュー表示処理による前記プレビュー画像の表示後、前記判断処理により前記認識不可情報があると判断された前記宛名情報がある場合にその宛名情報を編集するための編集入力を受け付ける編集入力受付処理と、
前記編集入力受付処理により受け付けられた前記編集入力の内容に従って対応する前記宛名面画像を修正する画像修正処理と、
を有することを特徴とする宛名面作成プログラム。
【請求項５】
請求項４に記載の宛名面作成プログラムであって、
前記プレビュー生成処理では、前記認識不可情報がある前記宛名情報に対応した前記プレビュー画像については、そのプレビュー画像における前記認識不可情報に相当する領域に対して前記認識不可情報があることを示す領域画像を付加する
ことを特徴とする宛名面作成プログラム。
【請求項６】
請求項５に記載の宛名面作成プログラムであって、
前記表示部にはタッチパネルが設けられており、
前記編集入力受付処理では、前記認識不可情報に相当する領域に対して前記タッチパネルを介したタップが行われた場合に、前記宛名情報のうち少なくともその領域に該当する情報を編集するための編集画面を表示させて、その編集画面に対する編集入力を受け付ける
ことを特徴とする宛名面作成プログラム。
【請求項７】
請求項２〜請求項６の何れか１項に記載の宛名面作成プログラムであって、
前記表示制御処理により前記認識不可情報のある前記宛名情報があることを示す情報が前記表示部に表示された場合に、前記認識不可情報がある前記宛名情報の編集要求を受け付ける編集要求受付処理を有し、
前記編集要求受付処理により前記編集要求が受け付けられた場合、前記編集入力受付処理が実行される
ことを特徴とする宛名面作成プログラム。
【請求項８】
請求項７に記載の宛名面作成プログラムであって、
前記編集要求受付処理により前記編集要求が受け付けられた場合に、前記プレビュー生成処理により生成された前記プレビュー画像のうち少なくとも前記認識不可情報がある前記宛名情報に対応した前記プレビュー画像を前記表示部に表示させる第２のプレビュー表示処理と、
前記第２のプレビュー表示処理により表示された前記プレビュー画像の中から、前記宛名情報の編集対象のプレビュー画像の選択入力を受け付ける選択受付処理と、
を有し、
前記編集要求受付処理により前記編集要求が受け付けられた場合、かつ前記選択受付処理により前記プレビュー画像の選択入力が受け付けられた場合に、そのプレビュー画像に対応した前記宛名情報を編集対象として前記編集入力受付処理が実行される
ことを特徴とする宛名面作成プログラム。
【請求項９】
請求項１〜請求項８の何れか１項に記載の宛名面作成プログラムであって、
前記情報処理装置は、前記宛名情報に関する情報である宛名関連情報が記憶された記憶部を備え、
当該宛名面作成プログラムは、
前記記憶部に記憶されている前記宛名関連情報に基づいて、前記宛名情報を生成する宛名情報生成処理と、
前記宛名情報生成処理により生成された前記宛名情報を前記記憶部に記憶する記憶制御処理と、
を有し、
前記宛名取得処理では、前記記憶部に記憶されている前記宛名情報を少なくとも１つ取得する
ことを特徴とする宛名面作成プログラム。
【請求項１０】
宛名情報を少なくとも１つ取得する宛名取得ステップと、
前記宛名取得ステップで取得した前記宛名情報に、宛名情報として認識不可能な情報である認識不可情報があるか否かを判断する判断ステップと、
前記宛名取得ステップで取得した前記宛名情報に従って、その宛名情報を示す画像であって特定の印刷対象の宛名面に印刷する宛名面画像を生成する画像生成ステップと、
前記画像生成ステップで生成した前記宛名面画像に従って、その宛名面画像を前記宛名面に印刷させる際の印刷結果のプレビュー画像を生成するプレビュー生成ステップと、
前記プレビュー生成ステップで生成した前記プレビュー画像を前記表示部に表示させるプレビュー表示ステップと、
前記判断ステップで前記認識不可情報があると判断した場合、前記プレビュー表示ステップでの前記プレビュー画像の表示後に、前記認識不可情報のある前記宛名情報があることを示す情報を前記表示部に表示させる表示制御ステップと、
を有することを特徴とする宛名面作成方法。
【請求項１１】
表示部と、
制御部と、を備え、
前記制御部は、
宛名情報を少なくとも１つ取得する宛名取得処理と、
前記宛名取得処理により取得された前記宛名情報に、宛名情報として認識不可能な情報である認識不可情報があるか否かを判断する判断処理と、
前記宛名取得処理により取得された前記宛名情報に従って、その宛名情報を示す画像であって特定の印刷対象の宛名面に印刷する宛名面画像を生成する画像生成処理と、
前記画像生成処理により生成された前記宛名面画像に従って、その宛名面画像を前記宛名面に印刷させる際の印刷結果のプレビュー画像を生成するプレビュー生成処理と、
前記プレビュー生成処理により生成された前記プレビュー画像を前記表示部に表示させる第１のプレビュー表示処理と、
前記判断処理により前記認識不可情報があると判断された場合、前記第１のプレビュー表示処理による前記プレビュー画像の表示後に、前記認識不可情報のある前記宛名情報があることを示す情報を前記表示部に表示させる表示制御処理と、
を実行することを特徴と宛名面作成装置。
【発明の詳細な説明】
【技術分野】
【０００１】
本発明は、はがきや封書などの宛名面に印刷させる画像を作成するための宛名面作成プログラム、宛名面作成方法、及び宛名面作成装置に関する。
【背景技術】
【０００２】
近年、年賀状を作成する方法として、情報処理端末を利用して宛名面及び通信面の画像を作成し、その画像データをプリンタに送信して年賀状用のはがきに印刷させる方法が普及している。また、その方法を効率的に実現するための各種のソフトウェアが普及している。このようなソフトウェアでは、宛名面に印刷させる宛名面画像は、通常、宛名情報のデータベースを参照して作成される（例えば、特許文献１参照。）。
【先行技術文献】
【特許文献】
【０００３】
【特許文献１】特開２０００−２９３５１６号公報
【発明の概要】
【発明が解決しようとする課題】
【０００４】
宛名情報のデータベースに未記入があると、宛名面画像も、その未記入が存在した状態で作成される。例えば、ある特定の人の宛名情報として姓名だけが登録されていて住所が未記入である場合、その宛名情報に基づいて作成される宛名面画像には住所が含まれない。また例えば、ある特定の人の宛名情報として姓名のうち姓だけが登録されていて名が未記入である場合、その宛名情報に基づいて作成される宛名面画像には姓名のうち姓だけが表示される。
【０００５】
このような場合、作成された宛名面画像をユーザが逐一確認することで見つけることは可能であるが、そのような確認作業はユーザにとって面倒である。また、確認の仕方によっては見落としが生じる可能性がある。特に、印刷対象の宛名面画像の数が多い程、確認作業の負担も大きくなる。
【０００６】
本発明は上記課題に鑑みなされたものであり、宛名面画像の内容に宛名情報として未記入の情報が存在していることに気付かないままその宛名面画像が印刷媒体に印刷されてしまうのを抑止することを目的とする。
【課題を解決するための手段】
【０００７】
上記課題を解決するためになされた本発明は、表示部と、制御部と、を備えた情報処理装置において、制御部が実行可能な宛名面作成プログラムである。本発明の宛名面作成プログラムは、制御部に実行させる処理として、宛名取得処理と、判断処理と、画像生成処理と、プレビュー生成処理と、第１のプレビュー表示処理と、表示制御処理と、を有する。
【０００８】
宛名取得処理は、宛名情報を少なくとも１つ取得する処理である。判断処理は、宛名取得処理により取得された宛名情報に、宛名情報として認識不可能な情報である認識不可情報があるか否かを判断する処理である。画像生成処理は、宛名取得処理により取得された宛名情報に従って、その宛名情報を示す画像であって特定の印刷対象の宛名面に印刷する宛名面画像を生成する処理である。プレビュー生成処理は、画像生成処理により生成された宛名面画像に従って、その宛名面画像を宛名面に印刷させる際の印刷結果のプレビュー画像を生成する処理である。第１のプレビュー表示処理は、プレビュー生成処理により生成されたプレビュー画像を表示部に表示させる処理である。表示制御処理は、判断処理により認識不可情報があると判断された場合、第１のプレビュー表示処理によるプレビュー画像の表示後に、認識不可情報のある宛名情報があることを示す情報を表示部に表示させる処理である。
【０００９】
このように構成された宛名面作成プログラムが実行されると、宛名面画像の作成対象の宛名情報が少なくとも１つ取得され、その取得された宛名情報に認識不可情報が含まれているか否かが判断される。また、取得された宛名情報に従って宛名面画像が作成され、そのプレビュー画像が表示される。そして、認識不可情報が含まれている宛名情報がある場合には、プレビュー画像が表示された以後に、認識不可情報のある宛名情報があることを示す情報が表示される。
【００１０】
これにより、ユーザは、自らがプレビュー画像を逐一確認しなくても、作成された宛名面画像に認識不可情報がある場合にはそのことを容易に知ることができ、認識不可情報に対する適切な対応をとることができる。そのため、宛名面画像の内容に認識不可情報が存在していることに気付かないままその宛名面画像が印刷されてしまうことを抑止することができる。
【００１１】
なお、本発明は、前述した宛名面作成プログラムの他、宛名面作成プログラムにおいて用いられている宛名面作成方法、その方法が実行される宛名面作成装置、その宛名面作成装置を構成要素とする各種システムなど、種々の形態で実現することができる。
【図面の簡単な説明】
【００１２】
【図１】実施形態のはがき作成システムの概略構成を示すブロック図である。
【図２】初期選択画面、作成方法選択画面、印刷対象選択画面、及びインポート選択画面の一例を示す説明図である。
【図３】住所録データベースの一例を示す説明図である。
【図４】新規入力画面及び印刷対象選択画面の一例を示す説明図である。
【図５】プレビュー画面及び設定確認画面の一例を示す説明図である。
【図６】宛名編集画面及び差出人編集画面の一例を示す説明図である。
【図７】プレビュー画面、不備通知画面、編集用プレビュー画面、及び宛名編集画面の一例を示す説明図である。
【図８】はがき作成処理を示すフローチャートである。
【図９】図８におけるＳ１１０の印刷対象決定処理の詳細を示すフローチャートである。
【図１０】図８におけるＳ１３０の宛名面画像構築処理の詳細を示すフローチャートである。
【図１１】図８におけるＳ１６０の編集処理の詳細を示すフローチャートである。
【発明を実施するための形態】
【００１３】
以下に、本発明の好適な実施形態を図面に基づいて説明する。
（１）はがき作成システムの説明
本実施形態のはがき作成システムは、図１に示すように、端末１０と、ＭＦＰ（多機能周辺装置の略称）１００と、ＡＰ（アクセスポイントの略称）１５０と、サーバ１６０とを備える。本実施形態のはがき作成システムでは、端末１０において、はがきの宛名面及び通信面のそれぞれに印刷させたい画像を生成し、その生成した画像の画像データをＭＦＰ１００に送信することで、ＭＦＰ１００にてその生成した画像をはがきに印刷させることができる。
【００１４】
端末１０は、例えばパソコン、スマートフォン、タブレットなどの情報処理端末である。端末１０は、ＣＰＵ１１、ＲＯＭ１２、ＲＡＭ１３、フラッシュメモリ１４、操作キー１５、ＬＣＤ１６、タッチパネル１７、メモリカードインタフェース（以下「メモリカードＩ／Ｆ」と称す）１８、音声入出力部１９、電話網通信部２０、無線通信部２１、及び近距離通信部２２を備える。これらの各部は、バスライン２４を介して互いに接続される。
【００１５】
ＣＰＵ１１は、ＲＯＭ１２及びフラッシュメモリ１４に記憶されているプログラムやデータに従って、バスライン２４を介して接続された各部を制御する。フラッシュメモリ１４は、記憶内容を電気的に書き換え可能な不揮発性のメモリである。フラッシュメモリ１４には、各種のソフトウェアやデータが記憶されている。本実施形態では、フラッシュメモリ１４に、少なくとも、はがき作成アプリ１４ａと、端末電話帳データベース１４ｃとが記憶されている。なお、図１では、「データベース」を「ＤＢ」と略称している。
【００１６】
はがき作成アプリ１４ａは、ＭＦＰ１００ではがきの宛名面及び通信面に印刷させたい画像を作成するためのアプリケーションソフトである。はがき作成アプリ１４ａは、当該はがき作成アプリ１４ａの実行時に生成される住所録データベース１４ｂを含む。はがき作成アプリ１４ａが実行されると、フラッシュメモリ１４に不備住所録リスト１４ｄが生成されることがある。はがき作成アプリ１４ａは、端末１０の出荷時や店頭での販売時に端末１０に予めインストールされていてもよいし、端末１０のユーザが端末１０の購入後にサーバ１６０からダウンロードしてインストールしてもよい。はがき作成アプリ１４ａの詳細な内容については後述する。
【００１７】
端末電話帳データベース１４ｃは、はがき作成アプリ１４ａとは別に端末１０が持っている電話帳のデータベースである。端末１０は、後述するように、携帯電話通信網を介して他の端末と音声通話を行ったり他の端末との間で電子メールの送受信を行ったりすることができる。ユーザは、所望の通信相手の電話番号やメールアドレスを端末１０に登録しておくことができ、その登録情報（以下「端末電話帳データ」という）が端末電話帳データベース１４ｃとしてフラッシュメモリ１４に記憶される。端末電話帳データには、通信相手の電話番号やメールアドレスだけでなく、通信相手の姓名、郵便番号、住所などの各種の関連情報も含まれる。
【００１８】
ＲＡＭ１３は、ＣＰＵ１１が各種プログラム（はがき作成アプリ１４ａを含む）を実行する際に各種データを一時的に記憶するための揮発性のメモリである。
操作キー１５は、端末１０のユーザが端末１０に対して各種の情報や指示等を入力するためのメカニカルキーである。ＬＣＤ１６は、各種画面を表示可能な液晶表示装置である。タッチパネル１７は、指や棒などの指示体を接触または接近させることによって端末１０に対する入力操作を受け付け可能な周知の入力デバイスであり、ＬＣＤ１６に重ねて設けられている。
【００１９】
なお、端末１０が、入力デバイスとしてマウスを接続可能な端末（例えばパソコン）である場合は、端末１０の構成部材としてマウスも含めることができる。以下の説明では、タッチパネル１７への指示体による入力操作を「タップ」と言う。また、「タップ」には、入力デバイスがマウスである場合の、そのマウスのクリック操作による入力操作も意味する。
【００２０】
メモリカードＩ／Ｆ１８は、書き換え可能な不揮発性のメモリカード（不図示）が装着されるインタフェースであり、メモリカードに対するデータの書き込み及び読み出しを制御する。音声入出力部１９は、マイクやスピーカなどで構成された音声入出力用デバイスである。電話網通信部２０は、携帯電話網（不図示）を介した音声通話やデータ通信を行うためのインタフェースである。
【００２１】
近距離通信部２２は、例えば１０ｃｍ程度の短い距離を通信可能距離とする近距離無線通信で通信を行うためのインタフェースである。本実施形態の近距離通信部２２が行う近距離無線通信は、ＮＦＣ標準規格に従う非接触通信（以下「ＮＦＣ通信」と称す）である。
【００２２】
無線通信部２１は、無線ＬＡＮ規格による通信（以下「無線ＬＡＮ通信」と称す）を行うためのインタフェースである。本実施形態では、無線通信部２１が行う無線ＬＡＮ通信は、ＩＥＥＥ８０２．１１ｂ／ｇ／ｎの規格に準拠した無線ＬＡＮ通信である。端末１０は、無線通信部２１を介して、ＡＰ１５０との間で、Ｗｉ−Ｆｉ（登録商標。以下同様。）規格に基づく無線通信（以下「Ｗｉ−Ｆｉ通信」と称す）を行うことができる。
【００２３】
ＡＰ１５０は、Ｗｉ−Ｆｉ通信を中継する中継装置である。ＡＰ１５０は、ブロードバンドルーター機能を有し、インターネットに接続されている。よって、端末１０は、ＡＰ１５０を介してインターネットに接続でき、インターネットに接続されているサーバ１６０と通信することができる。
【００２４】
ＭＦＰ１００は、印刷機能、スキャン機能、コピー機能、ファクシミリ機能などの各種機能を有している。ＭＦＰ１００は、上記各種機能を実現するための各種の構成部材を備える。図１に図示されているプリンタ部１０３は、印刷機能を実現するための構成部材である。ＭＦＰ１００において、外部から無線通信部１０１又は近距離通信部１０２に印刷データが受信されると、プリンタ部１０３によって、その印刷データに基づく印刷出力が可能である。
【００２５】
ＭＦＰ１００は、端末１０の無線通信部２１と同様の構成の無線通信部１０１を有している。また、ＭＦＰ１００は、端末１０の近距離通信部２２と同様の構成の近距離通信部１０２を有している。そのため、端末１０とＭＦＰ１００は両者間でＮＦＣ通信を行うことが可能である。また、端末１０とＭＦＰ１００は、ＡＰ１５０を介して相互にＷｉ−Ｆｉ通信を行うことができる。また、端末１０とＭＦＰ１００は、両者間でＷｉ−Ｆｉ  Ｄｉｒｅｃｔ（登録商標）規格に基づく直接通信、すなわち、ＡＰ１５０を介さない無線通信も可能である。
【００２６】
なお、端末１０及びＭＦＰ１００は、他のデータ通信方式によってデータ通信が可能な構成であってもよい。例えば、有線ＬＡＮによるデータ通信が可能であってもよい。その場合、端末１０から有線ＬＡＮを介してインターネットに接続できるようにしてもよい。
【００２７】
サーバ１６０には、様々な種類のデータが格納される。端末１０及びＭＦＰ１００は、インターネットを介して、サーバ１６０から各種プログラムやデータをダウンロードしたり、サーバ１６０に各種データをアップロードしたりすることができる。端末１０がサーバ１６０からダウンロード可能なプログラムとして、はがき作成アプリ１４ａがある。
【００２８】
（２）はがき作成アプリの概要
端末１０にインストールされているはがき作成アプリ１４ａの内容について、具体的に説明する。端末１０において、はがき作成アプリ１４ａが起動されると、ＬＣＤ１６に、初期画面（不図示）が表示される。初期画面には、実行可能な処理の選択肢がリストアップされており、その選択肢の１つに、「年賀状を作る」という選択肢が含まれている。ユーザがその「年賀状を作る」という選択肢を選択すると、作成面選択画面（不図示）が表示される。
【００２９】
作成面選択画面には、年賀状の宛名面（表面）及び通信面（裏面）のどちらを作成するかを選択させるための選択肢が表示される。その作成面選択画面において、ユーザが、「宛名面」を選択すると、図２に示す初期選択画面３０が表示される。
【００３０】
初期選択画面３０には、簡単宛名作成ボタン３１と、住所録から作成ボタン３２とが表示される。なお、ＬＣＤ１６に表示される画像について「ボタン」というときは、ＬＣＤ１６に表示されるアイコンを意味する。
【００３１】
初期選択画面３０において、ユーザが簡単宛名作成ボタン３１をタップすると、ユーザに宛名情報を入力させて宛名面を作成するための個別作成処理に進む。この個別作成処理については説明を省略する。
【００３２】
初期選択画面３０において、ユーザが住所録から作成ボタン３２をタップすると、住所録データベース１４ｂに登録されている住所録データを利用して宛名面を作成するための処理に進む。具体的には、住所録データベース１４ｂにまだ１つも住所録データが登録されていない場合は、作成方法選択画面３５が表示される。住所録データベース１４ｂに住所録データが１つでも登録されている場合は、印刷対象選択画面４０ａが表示される。
【００３３】
作成方法選択画面３５は、ユーザに対してまず住所録データの登録を促すための画面である。作成方法選択画面３５には、住所録データの生成方法として、端末電話帳データベース１４ｃからインポートすることにより生成する方法、及びユーザ自ら新規に入力操作を行って生成する方法、の何れかを選択するよう促すメッセージが表示される。また、作成方法選択画面３５には、上記メッセージに加え、インポートボタン３６及び新規追加ボタン３７が表示される。
【００３４】
ユーザがインポートボタン３６をタップすると、インポート選択画面４５が表示される。インポート選択画面４５には、端末電話帳データベース１４ｃとして登録されている端末電話帳データが一覧表示される。詳しくは、端末電話帳データのうち姓と名を示す姓名情報のみがリストアップされる。また、各姓名情報の左側にはチェックボックスが表示される。
【００３５】
ユーザは、端末電話帳データの中から、はがき作成アプリ１４ａの住所録データベース１４ｂへインポートさせたい姓名情報がある場合、その姓名情報のチェックボックスをタップしてチェックマークを付加することができる。ユーザが、所望の姓名情報のチェックボックスにチェックマークを付加して、インポートボタン４６をタップすると、チェックマークが付加された姓名情報毎に、その姓名情報に対応した端末電話帳データが住所録データベース１４ｂにインポートされる。つまり、選択された姓名情報に対応した端末電話帳データの内容が、それぞれ個別に住所録データとして住所録データベース１４ｂに登録される。そして、ＬＣＤ１６の表示内容は、インポート選択画面４５から、印刷対象選択画面４０ａに切り替わる。
【００３６】
住所録データベース１４ｂの具体的内容の一例を、図３に示す。住所録データベース１４ｂにおいて、登録されている住所録データには個々に固有のＩＤが付加されている。また、各住所録データには、姓、名、連名（本実施形態では最大４つまで）、住所が含まれる。住所については、より詳しくは、郵便番号、県、市町村、番地、マンションやビルの名称、が含まれる。
【００３７】
住所録データは、端末電話帳データからのインポート、又はユーザによる直接入力により生成される。そのため、住所録データの情報量は、端末電話帳データの内容或いはユーザによる直接入力時の入力内容に左右される。例えば、端末電話帳データに姓、名及び電話番号しか登録されていない場合は、それをインポートして生成される住所録データには、住所は含まれないことになる。また例えば、ユーザが直接入力して住所録データを登録する場合に、姓名のうち姓だけ入力した場合は、姓名のうち姓のみが登録されることになる。また、郵便番号を入力しなかった場合は、郵便番号が空欄のままの住所録データが登録されることになる。
【００３８】
住所録データは、後述するように、はがきの宛名面に印刷させる宛名面画像を作成するために用いられる。そのため、以下の説明では、住所録データが示す情報を、宛名情報ともいう。
【００３９】
印刷対象選択画面４０ａには、現在住所録データベース１４ｂに登録されている住所録データの各々について、それらの宛名情報のうち姓名情報のみがリストアップされる。また、各姓名情報の左側にはチェックボックスが表示される。その他、印刷対象選択画面４０ａには、インポートボタン４１、新規追加ボタン４２、削除ボタン４３、及び決定ボタン４４も表示される。
【００４０】
印刷対象選択画面４０ａにおいて、ユーザがインポートボタン４１をタップすると、再びインポート選択画面４５が表示され、端末電話帳データから住所録データベース１４ｂへのインポートが可能となる。印刷対象選択画面４０ａにおいて、ユーザが削除ボタン４３をタップすると、チェックボックスにチェックマークが付加されている姓名情報に対応した住所録データが住所録データベース１４ｂから削除される。
【００４１】
印刷対象選択画面４０ａにおいて、ユーザが決定ボタン４４をタップすると、チェックボックスにチェックマークが付加されている姓名情報に対応した住所録データを対象とした、宛名面画像の生成処理（詳細は後述）が開始される。
【００４２】
印刷対象選択画面４０においてユーザが新規追加ボタン４２をタップした場合、及び作成方法選択画面３５においてユーザが新規追加ボタン３７をタップした場合は、図４に示す新規入力画面５０が表示される。
【００４３】
新規入力画面５０は、新規に住所録データとして登録したい宛名情報をユーザに直接入力させるための画面である。新規入力画面５０に対し、ユーザは、新規登録したい宛名情報（郵便番号、住所、姓名、連名など）を入力することができる。また、新規入力画面５０には、ＯＫボタン５１及びキャンセルボタン５２が表示される。
【００４４】
新規入力画面５０において、ユーザがキャンセルボタン５２をタップすると、それまでの新規入力画面５０への入力内容が破棄されて、直前の画面（作成方法選択画面３５又は印刷対象選択画面４０）に戻る。新規入力画面５０において、ユーザがＯＫボタン５１をタップすると、そのとき入力されている宛名情報の内容が住所録データとして住所録データベース１４ｂに追加登録される。そして、その追加登録後の最新の住所録データベース１４ｂが反映された印刷対象選択画面４０ｂが表示される。
【００４５】
図４に示す印刷対象選択画面４０ｂは、図２に示す印刷対象選択画面４０ａと同じ階層の画面である。図２に示す印刷対象選択画面４０ａは、住所録データベース１４ｂに住所録データが３件登録されている場合の印刷対象選択画面４０の一例を示しており、図４に示す印刷対象選択画面４０ｂは、住所録データベース１４ｂに住所録データが１件だけ登録されている場合の印刷対象選択画面４０の一例を示している。
【００４６】
そのため、図２及び図４にそれぞれ例示した各印刷対象選択画面４０（４０ａ，４０ｂ）のいずれにおいても、インポートボタン４１がタップされたら画面がインポート選択画面４５（図２参照）に切り替わり、新規追加ボタン４２がタップされたら新規入力画面５０（図４参照）に切り替わる。
【００４７】
印刷対象選択画面４０において決定ボタン４４がタップされると、そのとき印刷対象選択画面４０においてチェックボックスにチェックマークが付加されている姓名情報に対応した宛名情報を対象とした、宛名面画像の作成処理が開始される。具体的には、チェックマークが付加されている姓名情報に対応した宛名情報を作成対象として、その作成対象毎に、その宛名情報に基づく宛名面画像が作成される。さらに、作成された各宛名面画像毎にプレビュー画像６１が作成される。そして、図５に示すように、作成された各プレビュー画像６１が、プレビュー画面６０に一覧表示される。
【００４８】
宛名面画像が作成される際、作成対象の宛名情報毎に、その宛名情報に不備があるか否かの判断（以下「宛名不備確認」ともいう）が、予め決められた宛名不備確認方法に従って行われる。不備とは、宛名情報として認識不可能又は認識することが困難な情報である。換言すれば、不備とは、郵便業者や配送業者において通常の宛先確認作業によって宛先を正しく認識することが不可能又は困難な情報であり、例えば、情報漏れや、情報の間違いなどが挙げられる。
【００４９】
宛名不備確認では、具体的には、例えば、宛名情報に姓及び名の双方が含まれているか否か、宛名情報に郵便番号が含まれているか否か、宛名情報に住所が含まれているか否か、などを判断する。そして、宛名情報に姓及び名の双方が含まれていない場合、郵便番号が含まれていない場合、住所が含まれていない場合には、その宛名情報に不備があるものと判断する。また、住所が含まれているか否かの判断は、より具体的には、県名、市区町村名、及び番地が全て含まれている場合に不備なしと判断し、これらの何れかが含まれていない場合には不備があるものと判断する。宛名不備確認によって不備があると判断された場合、その宛名情報のＩＤがフラッシュメモリ１４の不備住所録リストに記憶される。
【００５０】
なお、上述した宛名不備確認方法はあくまでも一例であり、他の方法を用いて宛名不備確認を行うようにしてもよい。例えば、住所については、郵便番号が含まれている場合には県名及び市区町村名は含まれていなくても不備と判断しないようにしてもよい。また例えば、姓及び名のうち少なくとも姓があれば不備と判断しないようにしてもよい。
【００５１】
宛名不備確認の目的は、郵便業者や配送業者において通常の宛先確認作業によって宛先を正しく認識し得る程度に必要且つ十分な宛名情報が宛名面画像に含まれているか否かを確認することである。そのため、その目的に見合った方法である限り、宛名不備確認方法として種々の方法を採用することができる。
【００５２】
宛名面画像が作成される際には、上記の宛名不備確認だけでなく、差出人情報に不備があるか否かの判断（以下「差出人不備確認」ともいう）も行われる。即ち、はがきの宛名面には、宛名情報に加えて、差出人情報（例えば差出人の住所氏名）も記載することが少なくない。そのため、差出人情報に住所が含まれているか否か、差出人情報に姓名が含まれているか、などを判断する差出人不備確認が行われ、不備があった場合、その情報がフラッシュメモリ１４に記憶される。なお、差出人情報をどこから得るかについては適宜決めることができる。例えば、端末１０に当該端末１０のユーザ情報が登録されていて、そのユーザ情報に、ユーザの姓名や住所などが含まれている場合には、そのユーザ情報から差出人情報を取得して宛名面画像を作成してもよい。また例えば、はがき作成アプリ１４ａの機能の１つとして、差出人情報をユーザに直接入力させることにより差出人情報を登録する機能を備え、その登録されている差出人情報を取得して宛名面画像を作成してもよい。
【００５３】
プレビュー画面６０に表示されるプレビュー画像６１は、図５に示すように、はがき（本実施形態では年賀状）の宛名面に宛名面画像が印刷された状態をユーザに視認させるための画像である。ユーザは、プレビュー画像６１を見ることで、実際に印刷させた場合に宛名面がどのように印刷されるのかを確認することができる。
【００５４】
本実施形態では、ＬＣＤ１６に同時に表示可能なプレビュー画像６１の枚数は一枚である。そのため、プレビュー画像６１が複数作成された場合は、プレビュー画面６０には、その複数のプレビュー画像６１のうち１つが表示される。他のプレビュー画像６１を表示させたい場合は、タッチパネル１７に対して特定の操作（例えば左右方向のフリック操作やスワイプ操作など）を行うことで、他のプレビュー画像６１が表示されたプレビュー画面６０に切り替えることができる。
【００５５】
図５の左側には、複数のプレビュー画像６１のうちある１つのプレビュー画像６１ａが表示されたプレビュー画面６０ａが示されている。このプレビュー画面６０ａに対し、ユーザが例えば左右方向にフリック操作を行うと、その操作方向及び操作量に応じてプレビュー画像６１が遷移し、図５の中央部に示すような、別のプレビュー画像６１ｂが表示されたプレビュー画面６０ｂに切り替わる。
【００５６】
プレビュー画面６０には、プレビュー画像６１のほか、宛名ボタン６２、差出人ボタン６３、及び完了ボタン６４が表示される。宛名ボタン６２は、プレビュー画面６０に現在表示されているプレビュー画像６１の宛名情報を編集するためのボタンである。あるプレビュー画像６１が表示されている状態で宛名ボタン６２がタップされると、図６（ａ）に示す宛名編集画面７０ａが表示される。このとき、宛名編集画面７０ａには、プレビュー画面６０において宛名ボタン６２がタップされたときに表示されていたプレビュー画像６１の宛名情報が表示される。ユーザは、この宛名編集画面７０ａを介して、該当する宛名情報を編集（追加、修正、削除など）することができる。
【００５７】
宛名編集画面７０ａには、ＯＫボタン７１とキャンセルボタン７２も表示される。キャンセルボタン７２がタップされると、それまでの宛名編集画面７０ａへの入力内容が破棄されて、直前に表示されていたプレビュー画面６０に戻る。ＯＫボタン７１がタップされると、編集対象の住所録データがそのとき表示されている宛名情報の内容に更新され、再びプレビュー画面６０に戻る。その際に表示されるプレビュー画像６１は、宛名編集画面７０ａでの編集後の内容に更新されたプレビュー画像６１である。
【００５８】
また、あるプレビュー画像６１が表示されている状態で差出人ボタン６３がタップされると、図６（ｂ）に示す差出人編集画面７５が表示され、差出人情報を編集することができる。宛名編集画面７０ａには、プレビュー画面６０において差出人ボタン６３がタップされたときに表示されていたプレビュー画像６１の差出人情報が表示される。ユーザは、この差出人編集画面７５を介して、差出人情報を編集することができる。
【００５９】
差出人編集画面７５には、ＯＫボタン７６とキャンセルボタン７７も表示される。キャンセルボタン７７がタップされると、それまでの差出人編集画面７５への入力内容が破棄されて、直前に表示されていたプレビュー画面６０に戻る。ＯＫボタン７６がタップされると、編集対象の差出人情報の登録内容がそのとき表示されている内容に更新され、再びプレビュー画面６０に戻る。その際に表示されるプレビュー画像６１中の差出人情報は、差出人編集画面７５での編集後の内容に更新されている。
【００６０】
プレビュー画面６０が表示された後、作成された宛名面画像を実際にはがきに印刷させたい場合は、完了ボタン６４をタップすればよい。プレビュー画面６０中の完了ボタン６４がタップされた場合、プレビュー画面６０に一覧されている全てのプレビュー画像６１について上記の宛名不備確認により不備がないと判断されている場合は、図５の右側に例示する設定確認画面６５が表示される。
【００６１】
設定確認画面６５には、印刷を実行させる印刷装置（本実施形態ではＭＦＰ１００）の名称、印刷させるはがきの種類、印刷部数などの、各種の設定情報が表示される。これら設定情報は、ユーザが任意に変更することができる。設定確認画面６５には、設定情報の下に印刷ボタン６６も表示される。この印刷ボタン６６がタップされると、ＭＦＰ１００へ、各プレビュー画像６１の各宛名面画像のデータが送信される。宛名面画像データの送信は、無線ＬＡＮ通信により行われてもよいし、ＮＦＣ通信により行われてもよい。端末１０からＭＦＰ１００へ宛名面画像データが送信されると、ＭＦＰ１００では、送信されてきた宛名面画像毎に、指定された部数の印刷が実行される。
【００６２】
プレビュー画面６０の完了ボタン６４がタップされた場合に、各プレビュー画像６１の宛名情報のうち何れ１つでも、上記宛名不備確認により不備があると判断されている場合は、図７に例示する不備通知画面８５が表示される。不備通知画面８５には、不備がある旨のメッセージと、印刷ボタン８６と、編集要求ボタン８７とが表示される。図７に例示する不備通知画面８５は、不備のメッセージとして、住所が含まれていない宛名面画像が存在していることを示すメッセージが例示されている。
【００６３】
不備通知画面８５において、印刷ボタン８６がタップされると、図５に示す設定確認画面６５が表示される。つまり、不備がある状態のまま印刷させることができる。不備通知画面８５において、編集要求ボタン８７がタップされると、図７に示す編集用プレビュー画面９０が表示される。編集用プレビュー画面９０は、基本的には、図５に例示したプレビュー画面６０と同じ構成であるが、各プレビュー画像６１の配列順が図５とは異なる。即ち、図５に例示したプレビュー画面６０では、予め決められた特定の配列順（例えば住所録データベース上のＩＤの順）に左から右へとプレビュー画像６１が配列されるが、図７に例示する編集用プレビュー画面９０では、宛名不備確認において不備があると判断された宛名面画像のプレビュー画像６１が優先的に配列順の先頭に配置される。つまり配列順における先頭（左側）に、不備があると判断されたプレビュー画像６１が順に配列され、その後（その右側）に、不備のないプレビュー画像６１が順に配列される。そして、編集用プレビュー画面９０に最初に表示されるプレビュー画像６１は、配列順の先頭（最も左側）のプレビュー画像６１である。
【００６４】
図７の編集用プレビュー画面９０に示すように、不備があるプレビュー画像６１には、宛名面画像中の不備がある領域に点線枠９５が表示される。図７の例では、宛名面における、住所が記載されるべき領域に、点線枠９５が表示されている。よって、この例では、この点線枠９５は、宛名面画像中に住所が含まれていないことを示している。仮に、宛名面画像に郵便番号が含まれていない場合は，郵便番号が表示されるべき領域に点線枠が表示される。ユーザは、編集用プレビュー画面９０において、プレビュー画像６１中に表示されている点線枠９５を見ることで、不備の内容を容易に認識することができる。
【００６５】
編集用プレビュー画面９０が表示されている状態で、不備を残したまま完了ボタン９４がタップされると、再び不備通知画面８５が表示される。編集用プレビュー画面９０が表示されている状態で、宛名ボタン９２がタップされると、宛名編集画面７０ｂが表示される。この宛名編集画面７０ｂは、直前の編集用プレビュー画面９０に表示されていた宛名面画像に対応した宛名情報を編集するための画面である。ユーザは、宛名編集画面７０ｂに必要情報を加える（図７の例では住所を追加入力する）ことで、不備を解消することができる。
【００６６】
編集用プレビュー画面９０から宛名編集画面７０ｂに遷移した場合において、キャンセルボタン７２がタップされると、それまでの宛名編集画面７０ｂへの入力内容が破棄されて、直前に表示されていた編集用プレビュー画面９０に戻る。編集用プレビュー画面９０から宛名編集画面７０ｂに遷移した場合において、ＯＫボタン７１がタップされると、編集対象の住所録データがそのとき表示されている宛名情報の内容に更新され、再び編集用プレビュー画面９０に戻る。その際、宛名編集画面７０ｂでの編集後の内容に更新されたプレビュー画像６１が表示される。そのため、宛名編集画面７０ｂで住所が追加入力されていれば、プレビュー画像６１から点線枠９５が消えて、代わりにその追加入力された住所が表示される。
【００６７】
編集用プレビュー画面９０が表示されている状態で、差出人ボタン９３がタップされると、図６（ｂ）に示す差出人編集画面７５が表示され、差出人情報を編集することができる。
【００６８】
編集用プレビュー画面９０に表示されているプレビュー画像６１に点線枠が表示されている場合、その点線枠をタップすることによっても、宛名編集画面７０又は差出人編集画面７５に切り替えることができる。例えば、図７に例示する編集用プレビュー画面９０において、住所が表示されるべき領域に表示されている点線枠９５をタップすると、宛名編集画面７０ｂが表示される。また例えば、図７に例示する編集用プレビュー画面９０において、差出人情報が表示されるべき領域（例えば画面左端の領域）に差出人情報が表示されずに点線枠が表示されている場合、その点線枠をタップすると、差出人編集画面７５が表示される。
【００６９】
ところで、図５に例示した通常のプレビュー画面６０においても、各プレビュー画像６１の中に、宛名不備確認又は差出人不備確認によって不備があると判断された宛名情報のプレビュー画像が含まれている場合は、そのプレビュー画像には、上述した点線枠が表示される。図７に示すプレビュー画面６０ｃは、不備が存在する宛名面画像のプレビュー画像６１ｃが表示されている例を示している。このプレビュー画像６１ｃには、点線枠６７が表示されている。そのため、このプレビュー画像６１ｃが表示されている状態において、宛名ボタン６２をタップするか、又は点線枠６７をタップすることで、宛名編集画面７０ｂに切り替えて、宛名情報を編集することができる。
【００７０】
そのため、プレビュー画面６０を確認しながら不備を解消させていって、不備が全て解消された状態で完了ボタン６４をタップすれば、不備通知画面８５は表示されずに、図５に例示した設定確認画面６５が表示されることになる。つまり、ユーザは、不備通知画面８５が表示された後に編集用プレビュー画面９０を表示させて編集作業を行うことができるし、不備通知画面８５が表示される前に通常のプレビュー画面６０が表示されている状態で編集作業を行うこともできる。
【００７１】
（３）はがき作成アプリの処理の説明
図２〜図７を用いて説明した各種機能は、ＣＰＵ１１がはがき作成アプリ１４ａを実行することにより実現される。ＣＰＵ１１により実行されるはがき作成アプリ１４ａの処理のうち、初期選択画面３０（図２参照）で住所録から作成ボタン３２がタップされた以後の処理内容について、図８を用いて説明する。図８は、初期選択画面３０で住所録から作成ボタン３２がタップされた場合に実行されるはがき作成処理を示すフローチャートである。
【００７２】
ＣＰＵ１１は、図８のはがき作成処理を開始すると、Ｓ１１０で、印刷対象決定処理を実行する。印刷対象決定処理の詳細は、図９に示す通りである。図９に示すように、印刷対象決定処理では、Ｓ３１０で、住所録データベース１４ｂに住所録データが１件でも登録されているか否か判断する。住所録データが１件でも登録されていれば（Ｓ３１０：ＹＥＳ）、Ｓ４００に進む。住所録データが１件も登録されていない場合は（Ｓ３１０：ＮＯ）、Ｓ３２０で、作成方法選択画面３５（図２参照）を表示させる。
【００７３】
Ｓ３３０では、ユーザによる操作内容を判定する。具体的には、作成方法選択画面３５表示されている各ボタン３６，３７のうちどちらがタップされたか判断する。作成方法選択画面３５において新規追加ボタン３７がタップされた場合は、Ｓ３４０で、新規入力画面５０（図４参照）を表示させる。Ｓ３５０では、その新規入力画面５０に対する、宛名情報の入力操作を受け付ける。宛名情報の入力が行われてＯＫボタン５１がタップされると、Ｓ３６０で、新規入力画面５０に入力された宛名情報を、住所録データとして、住所録データベース１４ｂに新規登録する。Ｓ３６０の後はＳ４００に進む。
【００７４】
作成方法選択画面３５においてインポートボタン３６がタップされた場合は、Ｓ３３０からＳ３７０に進み、インポート選択画面４５（図２参照）が表示される。ＳＳ３８０では、そのインポート選択画面４５に対する、インポート対象の端末電話帳データの選択操作（具体的には、チェックボックスへのチェックマーク付加）を受け付ける。インポート対象の端末電話帳データの選択操作が行われてインポートボタン４６がタップされると、Ｓ３９０で、その選択された端末電話帳データを、住所録データとして住所録データベース１４ｂに新規登録する。
【００７５】
Ｓ４００では、印刷対象選択画面４０（図２参照）を表示させる。Ｓ４１０では、その印刷対象選択画面４０に対する、宛名面画像の作成対象の宛名情報の選択操作（具体的には、チェックボックスへのチェックマーク付加）を受け付ける。
【００７６】
Ｓ４２０では、印刷対象選択画面４０に対するユーザの操作内容を判定する。印刷対象選択画面４０においてインポートボタン４１がタップされた場合は、Ｓ３７０に戻る。印刷対象選択画面４０において新規追加ボタン４２がタップされた場合は、Ｓ３４０に戻る。印刷対象選択画面４０において決定ボタン４４がタップされた場合は、印刷対象決定処理を終了して、Ｓ１２０（図８）に進む。
【００７７】
Ｓ１２０では、フラッシュメモリ１４内に不備住所録リスト１４ｄを用意する。なお、このＳ１２０の実行時点では、不備住所録リスト１４ｄにはまだ宛名情報は１つもリストアップされていない。
【００７８】
Ｓ１３０では、宛名面画像構築処理を実行する。宛名面画像構築処理の詳細は、図１０に示す通りである。図１０に示すように、宛名面画像構築処理では、Ｓ５１０で、差出人不備確認を実行する。Ｓ５２０では、Ｓ５１０の差出人不備確認の結果、不備があったか否かを判断する。不備がなかった場合は（Ｓ５２０：ＮＯ）Ｓ５４０に進む。不備があった場合は（Ｓ５２０：ＹＥＳ）、Ｓ５３０に進む。Ｓ５３０では、差出人情報に不備があることを示す差出人不備情報をフラッシュメモリ１４に記憶する。Ｓ５３０の処理後はＳ５４０に進む。
【００７９】
Ｓ５４０では、変数ｎを１に設定する。Ｓ５５０では、印刷対象選択画面４０で選択された宛名情報のうちｎ番目の宛名情報について、宛名不備確認を実行する。Ｓ５６０では、Ｓ５５０の宛名不備確認の結果、不備があったか否かを判断する。不備がなかった場合は（Ｓ５６０：ＮＯ）Ｓ５８０に進む。不備があった場合は（Ｓ５６０：ＹＥＳ）、Ｓ５７０で、ｎ番目の宛名情報のＩＤを不備住所録リストに入れる。Ｓ５７０の処理後はＳ５８０に進む。
【００８０】
Ｓ５８０では、ｎ番目の宛名情報の宛名面画像を作成する。その際、そのｎ番目の宛名情報に不備がある場合は、不備の該当領域に点線枠を付加する（図７に例示した点線枠６７，９５参照）。
【００８１】
Ｓ５９０では、変数ｎが作成総数Ｎに一致しているか否か判断する。作成総数Ｎは、印刷対象選択画面４０において宛名面画像の作成対象として選択された宛名情報の総数である。変数ｎがまだ作成総数Ｎに到達していない場合は（Ｓ５９０：ＮＯ）、Ｓ６００で、変数ｎをインクリメントして、Ｓ５５０に戻る。変数ｎが作成総数Ｎに到達した場合は（Ｓ５９０：ＹＥＳ）、宛名面画像構築処理を終了して、Ｓ１４０（図８）に進む。Ｓ１３０の宛名面画像構築処理が実行されることによって、作成対象の宛名情報毎に、宛名不備確認が実行されると共に宛名面画像が作成されることになる。
【００８２】
Ｓ１４０では、Ｓ１３０の宛名面画像構築処理で作成された各宛名面画像のプレビュー画像６１を、プレビュー画面６０（図５，図７参照）に一覧表示させる。ただし本実施形態では、既述の通り、同時に表示可能なプレビュー画像６１の数は１つである。表示されていない他のプレビュー画像６１を確認したい場合は、フリック操作やスワイプ操作を行って画面を左右方向に遷移させればよい。
【００８３】
Ｓ１５０では、プレビュー画面６０に対し、編集用の操作が行われたか否か判断する。編集用の操作とは、宛名ボタン６２のタップ、又は、プレビュー画像６１中に点線枠が表示されている場合におけるその点線枠へのタップである。編集用の操作が行われた場合は（Ｓ１５０：ＹＥＳ）、Ｓ１６０に進み、編集処理を実行する。Ｓ１６０の編集処理の詳細は、図１１に示す通りである。
【００８４】
図１１に示すように、編集処理では、Ｓ７１０で、編集対象の宛名情報の宛名編集画面７０を表示させる。Ｓ７２０では、宛名編集画面７０に対する編集入力を受け付ける。宛名情報の編集が行われてＯＫボタン７１がタップされると、Ｓ７３０で、編集された宛名情報について宛名不備確認を実行する。
【００８５】
Ｓ７４０では、Ｓ７３０の宛名不備確認の結果、不備があったか否かを判断する。不備があった場合は（Ｓ７４０：ＹＥＳ）、Ｓ７５０で、その不備があると判断された宛名情報のＩＤを不備住所録リストに入れる。なお、既にそのＩＤが不備住所録リストに張っている場合は、そのＩＤを上書きするか若しくはＳ７５０の処理をキャンセルする。不備がなかった場合は（Ｓ７４０：ＮＯ）、Ｓ７６０で、その不備がないと判断された宛名情報のＩＤを不備住所録リストから削除する。なお、不備住所録リストにそのＩＤが入っていない場合は、Ｓ７６０の処理はキャンセルする。
【００８６】
Ｓ７７０では、宛名編集画面７０で編集された宛名情報の宛名面画像を、その編集後の内容に更新する。Ｓ７８０では、再びプレビュー画面６０を表示させる。その際、Ｓ７７０で更新された宛名面画像のプレビュー画像６１を最優先で表示（つまり直接表示）させる。Ｓ７８０の処理後は、Ｓ１５０（図８）に戻る。
【００８７】
なお、Ｓ１５０における編集用の操作には、実際には、差出人ボタン６３のタップも含まれているが、図８及び図１１では、差出人ボタン６３のタップに基づく差出人編集画面７５の表示、及び差出人編集画面７５を介した差出人情報の編集については、図指を省略している。
【００８８】
Ｓ１５０で、編集用の操作が行われていない場合は（Ｓ１５０：ＮＯ）、Ｓ１７０で、完了ボタン６４がタップされたか否か判断する。完了ボタン６４がタップされていない場合は（Ｓ１７０：ＮＯ）、Ｓ１５０に戻る。完了ボタン６４がタップされた場合は（Ｓ１７０：ＹＥＳ）、Ｓ１８０で、不備住所録リスト１４ｄは空か否か判断する。
【００８９】
不備住所録リスト１４ｄが空の場合（Ｓ１８０：ＹＥＳ）、即ち、不備住所録リスト１４ｄにＩＤが１つも入っていない場合は、宛名情報に不備がある宛名面画像が１つもないということである。その場合、Ｓ１９０で、印刷処理を実行する。Ｓ１９０の印刷処理は、具体的には、設定確認画面６５（図５参照）を表示させ、設定情報の変更受け付けを行ったり、印刷ボタン６６がタップされた場合に印刷に必要な最終処理（宛名面画像データのＭＦＰ１００への送信を含む）を実行したりすることである。
【００９０】
Ｓ１８０で、不備住所録リスト１４ｄが空ではない場合（Ｓ１８０：ＮＯ）、即ち、不備住所録リスト１４ｄにＩＤが少なくとも１つ入っている場合は、Ｓ２００で、不備通知画面８５（図７参照）を表示させる。Ｓ２１０では、不備通知画面８５において印刷ボタン８６がタップされたか否か判断する。印刷ボタン８６がタップされた場合は（Ｓ２１０：ＹＥＳ）、Ｓ１９０の印刷処理に進む。この場合、不備がある宛名面画像についても、不備があるまま印刷されることになる。
【００９１】
不備通知画面８５において、印刷ボタン８６がタップされていない場合は（Ｓ２１０：ＮＯ）、Ｓ２２０に進む。Ｓ２２０では、編集要求ボタン８７がタップされたか否か判断する。編集要求ボタン８７がタップされていない場合は（Ｓ２２０：ＮＯ）、Ｓ２１０に戻る。編集要求ボタン８７がタップされた場合は（Ｓ２２０：ＹＥＳ）、Ｓ２３０に進む。Ｓ２３０では、編集用プレビュー画面９０（図７参照）を表示させる。Ｓ２３０で編集用プレビュー画面９０を表示させた後は、Ｓ１５０に戻る。
【００９２】
なお、プレビュー画面６０において完了ボタン６４がタップされた場合（図８のＳ１７０でＹＥＳ）、不備住所録リスト１４ｄだけを確認するのではなく、差出人不備情報の有無も確認してもよい。そして、差出人不備情報がある場合には、その旨を画面に通知して、差出人不備情報の編集をユーザに促すようにしてもよい。例えば、不備通知画面８５（図７参照）において、差出人情報に不備があることを示すメッセージを表示させると共に、差出人編集画面７５（図６（ｂ）参照）に移行するためのボタンを表示させ、そのボタンがタップされた場合には差出人編集画面７５に切り替わるようにしてもよい。
【００９３】
（４）実施形態の効果
以上説明したように、本実施形態の端末１０では、宛名面画像の作成対象として選択された宛名情報に対し、宛名不備確認が実行される。また、選択された宛名情報毎に宛名面画像が作成され、そのプレビュー画像６１がプレビュー画面６０に一覧表示される。そして、選択された宛名情報の中に不備がある宛名情報が存在している場合は、プレビュー画面６０が表示された以後の特定のタイミングで、不備通知画面８５が表示される。
【００９４】
これにより、ユーザは、自らがプレビュー画像６１を逐一確認しなくても、作成された宛名面画像に不備がある場合にはそのことを容易に知ることができ、不備に対する適切な対応をとることができる。そのため、宛名面画像の内容に不備が存在していることに気付かないままその宛名面画像がはがきに印刷されてしまうことを抑止することができる。
【００９５】
プレビュー画面６０では、ユーザは、プレビュー画像６１を１つずつ確認することで、不備の有無を確認することができる。そして、宛名情報又は差出人情報を編集したい場合は、宛名ボタン６２又は差出人ボタン６３をタップすることで、宛名編集画面７０又は差出人編集画面７５に遷移させて、編集することができる。
【００９６】
また、宛名情報に不備がある場合、プレビュー画像６１において、その不備が存在している領域に、点線枠が付加される。そのため、ユーザは、プレビュー画像６１に表示されている点線枠に基づいて、不備の存在を認識することができる。また、その点線枠をタップすることで、宛名情報を編集して不備を解消することができる。このように、ユーザは、プレビュー画面６０が表示されている間に、宛名面画像を適宜編集することができる。
【００９７】
ただし、ユーザによる目視確認では、不備の存在が見落とされるおそれがある。それに対し、本実施形態では、プレビュー画面６０内の完了ボタン６４がタップされたときに、不備がまだ存在している場合には、不備通知画面８５が表示される。これにより、ユーザは、未だ不備が存在していることを認識することができる。
【００９８】
つまり、本実施形態では、プレビュー画面６０においてユーザが任意に不備のチェック及びその編集が可能であると共に、完了ボタン６４がタップされた後も、その操作時点で不備が残っている場合にはユーザはそのことを認識することができる。
【００９９】
そのため、ユーザが不備の存在に気付かないまま宛名面画像がはがきに印刷されてしまうことを確実に抑止することができる。
不備通知画面８５には、印刷ボタン８６及び編集要求ボタン８７が表示される。そのため、ユーザは、不備があってもそのまま印刷させたい場合には、印刷ボタン８６をタップすることで宛名面画像を印刷させることができる。
【０１００】
また、不備を解消したい場合には、編集要求ボタン８７をタップすることで、編集作業を行って不備を解消することができる。具体的には、ユーザが編集要求ボタン８７をタップすると、編集用プレビュー画面９０が表示される。この編集用プレビュー画面９０には、不備が存在している宛名情報に対応したプレビュー画像６１が優先的に表示される。
【０１０１】
そのため、ユーザは、一覧表示されるプレビュー画像６１の中から不備が存在しているプレビュー画像６１を迅速に見つけることができ、不備の解消のための編集作業を効率的に行うことができる。
【０１０２】
また、本実施形態では、住所録データを、ユーザ自身による入力操作、及び端末電話帳データベースからのインポート、の何れかによって登録することができる。そのため、ユーザは、必要な住所録データを効率的に登録することができる。
【０１０３】
なお、本実施形態において、はがき作成アプリ１４ａは本発明の宛名面作成プログラムの一例に相当する。ＬＣＤ１６は本発明の表示部の一例に相当する。ＣＰＵ１１は本発明の制御部の一例に相当する。フラッシュメモリ１４は本発明の記憶部の一例に相当する。図９のＳ４１０は本発明の宛名取得処理の一例に相当する。図１０のＳ５６０は本発明の判断処理の一例に相当する。図１０のＳ５８０は本発明の画像生成処理の一例に相当する。図８のＳ１４０は本発明のプレビュー生成処理及び第１のプレビュー表示処理の一例に相当する。図８のＳ２００は本発明の表示制御処理の一例に相当する。プレビュー画面６０の完了ボタン６４のタップは本発明の処理移行指示の一例に相当する。図８のＳ１７０は本発明の移行指示受付処理の一例に相当する。図８のＳ１９０は本発明の印刷制御処理の一例に相当する。図８のＳ１５０〜Ｓ１６０は本発明の編集入力受付処理の一例に相当する。図１１のＳ７７０は本発明の画像修正処理の一例に相当する。点線枠６７，９５は本発明の領域画像の一例に相当する。図８のＳ２２０は本発明の編集要求受付処理の一例に相当する。図８のＳ２３０は本発明の第２のプレビュー表示処理の一例に相当する。図８においてＳ２３０の後に実行されるＳ１５０は本発明の選択受付処理の一例に相当する。端末電話帳データベース１４ｃは本発明の宛名関連情報の一例に相当する。図９のＳ３７０〜Ｓ３９０は本発明の宛名情報生成処理の一例に相当し、このうちＳ３９０は本発明の記憶制御処理の一例にも相当する。
【０１０４】
［他の実施形態］
（１）図２、図４〜図７に示した各画面の具体的内容はあくまでも一例である。各画面の構成、各画面のボタンの種類や数などについては、適宜決めることができる。
【０１０５】
（２）プレビュー画面６０の表示後、どのタイミングで不備の存在を通知するかについては、適宜決めることができる。上記実施形態では、プレビュー画面６０の完了ボタン６４がタップされた場合に、不備通知画面８５が表示される構成であったが、このような構成はあくまでも一例である。例えば、プレビュー画面６０が表示されたとき、そのプレビュー画面６０における特定の領域に、不備がある宛名面画像が存在していることを示すメッセージを表示させるようにしてもよい。また例えば、不備がある宛名面画像のプレビュー画像６１が直接表示されているときに、点線枠と共に、不備がある旨のメッセージを表示させるようにしてもよい。
【０１０６】
（３）不備があることを通知する方法として、不備通知画面８５を表示させることはあくまでも一例である。不備があることを例えば音声によって通知するようにしてもよい。また、不備通知画面８５の中に、不備がある宛名情報をリストアップして表示させるようにしてもよい。その際、そのリストアップされている宛名情報の何れかを指定操作（例えばタップ）することで、その指定された宛名情報を編集するための宛名編集画面７０に遷移するようにしてもよい。
【０１０７】
（４）プレビュー画像６１中に付加する、不備領域を示す画像は、点線枠以外の他の画像でもよい。また、不備領域に対し、必ずしも、不備があることを示す画像を付加する必要はない。例えば、宛名情報に住所が含まれていない場合、単に、住所の記入領域を空欄としたままの宛名面画像及びそのプレビュー画像６１を作成してもよい。但しその場合も、その空欄となっている領域をタップすれば編集画面に移行して編集（例えば住所の入力）を行うことができるようにしてもよい。
【０１０８】
（５）上記実施形態では、宛名不備確認に加え、差出人不備確認も行う構成であったが、差出人不備確認を行うことは必須ではない。差出人情報については、必ずしも宛名面に記入するとは限らず、通信面に記入する場合もある。そのため、差出人不備確認については、その機能自体を省いてもよいし、その機能の有効・無効をユーザが選択できるようにしてもよい。
【０１０９】
（６）上記実施形態では、不図示の初期画面において「年賀状を作る」を選択した場合の動作について詳しく説明したが、宛名面画像の印刷対象が年賀状であることは一例にすぎない。年賀状以外の他の種類のはがきを対象として宛名面及び通信面を作成することもできる。その他、本発明は、各種のはがきに対して適用可能であるほか、はがき以外の他の通信媒体（例えば封筒、宅配便の送付状など）に対しても適用可能である。
【０１１０】
（７）その他、本発明は、上記の実施形態に示された具体的手段や構造等に限定されるものではなく、本発明の要旨を逸脱しない範囲において種々の形態を採り得る。例えば、上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【０１１１】
１０…端末、１１…ＣＰＵ、１２…ＲＯＭ、１３…ＲＡＭ、１４…フラッシュメモリ、１４ａ…作成アプリ、１４ｂ…住所録データベース、１４ｃ…端末電話帳データベース、１４ｄ…不備住所録リスト、１５…操作キー、１６…ＬＣＤ、１７…タッチパネル、１８…メモリカードＩ／Ｆ、１９…音声入出力部、２０…電話網通信部、２１…無線通信部、２２…近距離通信部、２４…バスライン、３０…初期選択画面、３１…簡単宛名作成ボタン、３２…住所から作成ボタン、３５…作成方法選択画面、３６，４１，４６…インポートボタン、３７，４２…新規追加ボタン、４０（４０ａ，４０ｂ）…印刷対象選択画面、４３…削除ボタン、４４…決定ボタン、４５…インポート選択画面、５０…新規入力画面、５１，７１，７６…ＯＫボタン、５２，７２，７７…キャンセルボタン、６０（６０ａ，６０ｂ，６０ｃ）…プレビュー画面、６１（６１ａ，６１ｂ，６１ｃ）…プレビュー画像、６２，９２…宛名ボタン、６３，９３…差出人ボタン、６４，９４…完了ボタン、６５…設定確認画面、６６，８６…印刷ボタン、６７，９５…点線枠、７０（７０ａ，７０ｂ）…宛名編集画面、７５…差出人編集画面、８５…不備通知画面、８７…編集要求ボタン、９０…編集用プレビュー画面、１００…ＭＦＰ、１０１…無線通信部、１０２…近距離通信部、１０３…プリンタ部、１５０…ＡＰ、１６０…サーバ。
【図１】
2015228088.tif 000003
【図２】
2015228088.tif 000004
【図３】
2015228088.tif 000005
【図４】
2015228088.tif 000006
【図５】
2015228088.tif 000007
【図６】
2015228088.tif 000008
【図７】
2015228088.tif 000009
【図８】
2015228088.tif 000010
【図９】
2015228088.tif 000011
【図１０】
2015228088.tif 000012
【図１１】
2015228088.tif 000013